(57)【要約】【課題】左右に分割させた刈刃装置にあって、左右受刃台２７ａ・２７ｂ前方の穀稈が左右受刃台２７ａ・２７ｂ間に入り込むのを解消させ、刈取穀稈や藁が左右受刃台２７ａ・２７ｂ間に堆積するなどの不都合を防止して適正な穀稈の切断を助長させて刈取性能を安定維持させる。【解決手段】左右に分割させた２つの刈刃２６ａ・２６ｂを対向方向に移動させて穀稈を刈取るコンバインの刈取装置において、左右の受刃２８ａ・２８ｂをそれぞれ固設する左右受刃台２７ａ・２７ｂ間の隙間Ｓを最小とさせると共に、左右一方の受刃台２７ａに固設する中央受刃４７と他方の受刃台２７ｂ端部とを重合させる。【選択図】　　　図９
2004016203.tif 000002
【特許請求の範囲】
【請求項１】
左右に分割させた２つの刈刃を対向方向に移動させて穀稈を刈取るコンバインの刈取装置において、左右の受刃をそれぞれ固設する左右受刃台間の隙間を最小とさせると共に、左右一方の受刃台に固設する中央受刃と他方の受刃台端部とを重合させたことを特徴とするコンバインの刈取装置。
【請求項２】
受刃台を支持する左右方向の刈取フレームと前方の受刃台間に隙間を形成させたことを特徴とする請求項１記載のコンバインの刈取装置。
【請求項３】
刈刃に注油を行う注油管をパイプ形刈取フレームの内側に配設させたことを特徴とする請求項２記載のコンバインの刈取装置。
【発明の詳細な説明】
【０００１】
【発明の属する技術分野】
本発明は圃場の穀稈を刈取って脱穀するコンバインの刈取装置に関する。
【０００２】
【発明が解決しようとする課題】
左右に分割された２つの刈刃を機体に組込む場合、刈取フレームに支持させる左右受刃の左右受刃台の内側端部間には干渉回避や取付調節用となる若干の隙間を形成しているが、穀稈刈取中にこの隙間に稈や稈屑が入り込み堆積するなどして、左右刈刃の継ぎ合せ部で稈の堆積や切断不良が発生し易いなどの不都合があった。
【０００３】
【課題を解決するための手段】
したがって本発明は、左右に分割させた２つの刈刃を対向方向に移動させて穀稈を刈取るコンバインの刈取装置において、左右の受刃をそれぞれ固設する左右受刃台間の隙間を最小とさせると共に、左右一方の受刃台に固設する中央受刃と他方の受刃台端部とを重合させて、刈取作業中に左右受刃台前方の穀稈が左右受刃台間に入り込むのを解消させ、刈取穀稈や藁が左右受刃台間に堆積するなどの不都合を防止して適正な穀稈の切断を助長させて刈取性能を安定維持させるものである。
【０００４】
また、受刃台を支持する左右方向の刈取フレームと前方の受刃台間に隙間を形成させて、受刃台と刈取フレーム間に刈取穀稈や藁や泥などが堆積するのを防止して刈取性能を安定維持させると共に、重量の軽減や刈刃交換時の作業性など向上させるものである。
【０００５】
さらに、刈刃に注油を行う注油管をパイプ形刈取フレームの内側に配設させて、注油管の破損や変形などの発生のない良好にしてコンパクトな機体内組込みを可能とさせると共に、注油管に刈り取り穀稈・藁・泥土など堆積するのを防止して注油管の耐久性を向上させるものである。
【０００６】
【発明の実施の形態】
以下、本発明の実施例を図面に基づいて詳述する。図１はコンバインの全体側面図、図２は同平面図、図３はトラックフレーム部の側面図であり、図中１は左右走行クローラ３を装設する左右トラックフレーム、５は前記トラックフレーム１に架設する機台、６はフィードチェン７を左側に張架し扱胴８及び処理胴９を内蔵している脱穀部、１０は刈刃装置１１及び穀稈搬送機構１２などを備える刈取部、１３は刈取フレーム１４を介して刈取支点軸１５回りに刈取部１０を昇降させる油圧刈取昇降シリンダ、１６は排藁チェン１７終端を臨ませる排藁カッター、１８は脱穀部６からの穀粒を揚穀筒１９を介して搬入する穀物タンク、２０は前記タンク１８の穀粒を機外に搬出する排出オーガ、２１は操向ハンドルなど運転操作部２２及び運転席２３を備える運転キャビン、２４は運転キャビン２１下方に設けるエンジンであり、連続的に穀稈を刈取って脱穀するように構成している。
【０００７】
図３乃至図１１に示す如く、前記刈刃装置１１は、ナイフバー２５に一定ピッチでリベット止めする三角形状の可動刈刃２６と、受刃台２７に一定ピッチでリベット止めする三角形状の固定受刃２８とを備えると共に、刈取フレーム１４は本機側の刈取支点軸１５に連結する縦方向の主フレーム２９と、主フレーム２９先端の横ケースフレーム３０と、横ケースフレーム３０左右両端に連結パイプ３１及びブラケット３２を介し連結させる４角形のパイプ横フレーム３３とを備え、前記横ケースフレーム３０の前面側で引起しケースなど支持させる左右外側の支持パイプ３４間にボルト３５及び取付板３６を介し受刃台２７を前記パイプ３１先端のブラケット３２に固定させ、前記刈刃２６と受刃２８とを重合させた状態で刃押え３７、ナイフバーガイド３８・３９，調節板４０などを介し左右摺動自在に受刃台２７上面にボルト４１により取付けている。
【０００８】
また前記刈刃装置１１は左右に分割させたもので、前記刈刃２６及び受刃２８を左右に分割させ左右刈刃２６ａ・２６ｂと受刃２８ａ・２８ｂに形成し、左右刈刃２６ａ・２６ｂの左右ナイフバー２５ａ・２５ｂの外側端側に左右ナイフヘッド４２・４３を固定させて、左右ナイフヘッド４２・４３に連結させる左右刈刃駆動アーム４４・４５の揺動で左右刈刃２６ａ・２６ｂを対向状（相互逆方向）に移動させるように構成している。
【０００９】
図１０にも示す如く、左右受刃２８ａ・２８ｂをリベット４６止め固定する左右受刃台２７ａ・２７ｂ間に形成する干渉防止用の隙間Ｓを最小に形成すると共に、左右受刃台２７ａ・２７ｂの対向角部Ａも面取りなどのない直角形状に形成して、左右受刃台２７ａ・２７ｂの合せ部（隙間Ｓ）に穀稈や藁屑などが入り込むのを最小に抑制させ、これが堆積する不都合を防止するように構成している。
【００１０】
また、左受刃台２７ａの受刃２８ａ右端に受刃２８ａの刃形状より大形で略３角形状の中央受刃４７をリベット４６止め固定させるもので、左受刃２８ａの右端面と右受刃２８ｂの左端面との間に一定隙間Ｂを隔てて中央受刃４７を配設させ、中央受刃４７の右端を左受刃台２７ａ右端より右側に突出させて右受刃台２７ｂの左端上方に重合させ、前方から穀稈が隙間Ｓに入り込む状態となるのを防止している。
【００１１】
さらに、前記取付板３６は左受刃台２７ａの左端下面と、右受刃台２７ｂの左右両端下面に取付ける３つの左・中央・右取付板３６ａ・３６ｂ・３６ｃを有し、横フレーム３３に連結固定させるブラケット３２に受刃台２７より後方の取付板３６ａ・３６ｂ・３６ｃ部をボルト３５で固定させる一方、これら３つの取付板３６ａ・３６ｂ・３６ｃ以外の各支持パイプ３４のブラケット３２に対しては図５、図８に示す如く、ナイフバー２５の直後でボルト３５により受刃台２７を直接的に固定させて、受刃台２７後端と横フレーム３３との間に一定の隙間４８を形成して、受刃台２７上の泥土などをこの隙間４８から下方に落下させて受刃台２７上に泥土などが堆積するのを防止すると共に、重量を軽減させ、刈刃２６や受刃２８交換時などの作業性を向上させるように構成している。
【００１２】
また、図３、図７、図１２に示す如く、前記刈刃２６及び受刃２８に潤滑油を注油する注油管４９を前記横フレーム３３の長手方向に沿って内挿させるもので、注油管４９を鉄製４角パイプで形成し、注油管４９の取付部材５０を横フレーム３３に下面側よりボルト５１で固定させ、注油管４９より分岐させる複数のノズル５２を横フレーム３３上方に突出させ、支持パイプ３４上方に固設する立設板５３の注油口５４とノズル５２間をゴムホース５５で連通接続させて、刈刃２６上方に配置させる注油口５４側面の注出口５４ａより注油管４９の潤滑油を横方向に排出させてこの下方の刈刃２６及び受刃２８に注油を行うように構成している。なお、立設板５３に対し注油口５４はボルト５６を介し取外し自在に固定させたもので、注油口５４の設置数や設置場所は限定しない。
【００１３】
このように横フレーム３３に注油管４９を内挿させることによって、注油管４９の破損や変形など防止すると共に、注油管４９に対する穀稈や藁屑などの堆積や引掛りなども防止できる。また注油口５４は分草板など支持する支持パイプ３４の略幅内に穀稈通路を妨げることのない設置を行って穀稈の良好な刈取りを助長させることができる。
【００１４】
上記からも明らかなように、左右に分割させた２つの刈刃２６ａ・２６ｂを対向方向に移動させて穀稈を刈取るコンバインの刈取装置において、左右の受刃２８ａ・２８ｂをそれぞれ固設する左右受刃台２７ａ・２７ｂ間の隙間Ｓを最小とさせると共に、左右一方の受刃台２７ａに固設する中央受刃４７と他方の受刃台２７ｂ端部とを重合させたことによって、刈取作業中に左右受刃台２７ａ・２７ｂ前方の穀稈が左右受刃台２７ａ・２７ｂ間に入り込むのを解消させ、刈取穀稈や藁が左右受刃台２７ａ・２７ｂ間に堆積するなどの不都合を防止して適正な穀稈の切断を助長させて刈取性能を安定維持させることができる。
【００１５】
また、受刃台２７ａ・２７ｂを支持する左右方向の刈取フレーム３３と前方の受刃台２７ａ・２７ｂ間に隙間４８を形成させたことによって、受刃台２７ａ・２７ｂと横フレーム３３間に刈取穀稈や藁や泥などが堆積するのを防止して刈取性能を安定維持させると共に、重量の軽減や刈刃交換時の作業性など向上させることができる。
【００１６】
さらに、刈刃２６ａ・２６ｂに注油を行う注油管４９をパイプ形横フレーム３３の内側に配設させたことによって、注油管４９の破損や変形などの発生のない良好にしてコンパクトな機体内組込みを可能とさせると共に、注油管４９に刈り取り穀稈・藁・泥土など堆積するのを防止して注油管４９の耐久性を向上させることができる。
【００１７】
【発明の効果】
以上実施例から明らかなように本発明は、左右に分割させた２つの刈刃２６ａ・２６ｂを対向方向に移動させて穀稈を刈取るコンバインの刈取装置において、左右の受刃２８ａ・２８ｂをそれぞれ固設する左右受刃台２７ａ・２７ｂ間の隙間Ｓを最小とさせると共に、左右一方の受刃台２７ａに固設する中央受刃４７と他方の受刃台２７ｂ端部とを重合させたものであるから、刈取作業中に左右受刃台２７ａ・２７ｂ前方の穀稈が左右受刃台２７ａ・２７ｂ間に入り込むのを解消させ、刈取穀稈や藁が左右受刃台２７ａ・２７ｂ間に堆積するなどの不都合を防止して適正な穀稈の切断を助長させて刈取性能を安定維持させることができるものである。
【００１８】
また、受刃台２７ａ・２７ｂを支持する左右方向の刈取フレーム３３と前方の受刃台２７ａ・２７ｂ間に隙間４８を形成させたものであるから、受刃台２７ａ・２７ｂと刈取フレーム３３間に刈取穀稈や藁や泥などが堆積するのを防止して刈取性能を安定維持させると共に、重量の軽減や刈刃交換時の作業性など向上させることができるものである。
【００１９】
さらに、刈刃２６ａ・２６ｂに注油を行う注油管４９をパイプ形刈取フレーム３３の内側に配設させたものであるから、注油管４９の破損や変形などの発生のない良好にしてコンパクトな機体内組込みを可能とさせると共に、注油管４９に刈り取り穀稈・藁・泥土など堆積するのを防止して注油管４９の耐久性を向上させることができるものである。
【図面の簡単な説明】
【図１】コンバインの全体側面図。
【図２】コンバインの全体平面図。
【図３】刈刃装置部の側面図。
【図４】刈刃装置部の平面図。
【図５】刈刃装置部の平面説明図。
【図６】刈刃装置部の分割説明図。
【図７】注油口部の説明図。
【図８】刈刃の取付説明図。
【図９】刈刃の中央合体部の説明図。
【図１０】中央受刃部の平面説明図。
【図１１】注油管の説明図。
【図１２】刈刃の中央合体部の背面説明図。
【符号の説明】
２６ａ・２６ｂ　刈刃
２７ａ・２７ｂ　受刃台
２８ａ・２８ｂ　受刃
３３　　横フレーム（刈取フレーム）
４７　　中央受刃
４８　　隙間
４９　　注油管
Ｓ　　　隙間
【図１】
2004016203.tif 000003
【図２】
2004016203.tif 000004
【図３】
2004016203.tif 000005
【図４】
2004016203.tif 000006
【図５】
2004016203.tif 000007
【図６】
2004016203.tif 000008
【図７】
2004016203.tif 000009
【図８】
2004016203.tif 000010
【図９】
2004016203.tif 000011
【図１０】
2004016203.tif 000012
【図１１】
2004016203.tif 000013
【図１２】
2004016203.tif 000014